(57)【要約】【課題】一端がテーパー加工され、他端が研磨処理された針状毛を有する、製造歩留まりの良好なブラシとその製造方法を提供すること。【解決手段】毛束を包んでいる包装材を第１端部から２０〜３０ｍｍの範囲で切断して除去した後、上記第１端部を回転型研磨機で研磨処理し、包装材の除去された第１端部をさらに包装材で包装した後、毛束を２２〜３２ｍｍの範囲で切断し、切断された毛束の第２端部を薬品に浸漬してテーパー加工する工程によってブラシを製造する。【選択図】図４【特許請求の範囲】
【請求項１】
材質がポリエステル系樹脂であり、テーパー加工されていない状態の厚度が０．１〜０．２ｍｍであり、一端のみがテーパー加工され、テーパー長さが４〜８ｍｍ、テーパー加工された毛先の直径が０．０１〜０．０３ｍｍであり、全長が２２〜３２ｍｍである、一端がテーパー加工された針状毛であって、テーパー加工された端部の反対側に位置する他端が機械加工によって研磨処理されたことを特徴とする針状毛。
【請求項２】
毛束を包んでいる包装材を第１端部部から２０〜３０ｍｍの範囲で切断して除去した後、上記第１端部を回転型研磨機で研磨処理し、包装材の除去された毛束の第１端部をさらに包装材で包装した後、毛束を２２〜３２ｍｍの範囲で切断し、研磨処理された上記第１端部の反対側に位置する、切断された毛束の第２端部を薬品に浸漬してテーパー加工する工程からなることを特徴とする針状毛の製造方法。
【請求項３】
毛束を２０〜３０ｍｍの長さに切断した後、毛束から包装材を除去し、機械的に少量ずつ研磨機で第１端部を研磨した後、さらに束の形で捕集し、研磨された上記第１端部の反対側に位置する第２端部を薬品に浸漬してテーパー加工する工程からなることを特徴とする針状毛の製造方法。
【請求項４】
毛束に対して包装材を後ろに後進させた後、第１端部を研磨し、後進した包装材を元の位置に戻した後、毛束を２０〜３０ｍｍの長さに切断し、研磨された第１端部の反対側に位置する第２端部を薬品に浸漬してテーパー加工する工程からなることを特徴とする針状毛の製造方法。
【請求項５】
テーパー加工工程は、テーパー長さが４〜８ｍｍ、テーパー加工された毛先の直径が０．０１〜０．０３ｍｍとなるようにテーパー加工することを特徴とする請求項２〜４のいずれか１項に記載の針状毛の製造方法。
【発明の詳細な説明】
【技術分野】
【０００１】
本発明は、針状毛及びその製造方法に関する。
より詳しくは、本発明は、一端がテーパー加工され、且つ他端は研磨処理された針状毛及びその製造方法に関する。
【背景技術】
【０００２】
一般に、針状毛とは、一端に向かって次第に細くなる針状毛であって、歯と歯の間又は歯と歯茎の間への入り込みに優れる上、柔らかい。このため、最近では、針状毛が大部分の高級歯ブラシに採用されている。
ところが、針状毛は、端部があまり柔らかくて刷掃性が一般の歯ブラシと比較して多少足りないという欠点を持っている。このような欠点を補完するための方法の一つとして、従来、図１に示すように、一端のみがテーパー加工された針状毛を半折りにして歯ブラシのヘッド部分に植毛するが、テーパー加工された端部が、テーパー加工されていない端部より長くなるように植毛する方法が使われている。これらの技術は、特許文献１（日本実公昭６１−１０４９５号公報）及び本発明者による特許文献２（韓国特許登録第０４６４６３４号）などに開示されている。
【０００３】
しかしながら、これらの技術によって針状毛の欠点を補完することはできるが、テーパー加工されていない部分の切断面が鋭いため、使用の際に歯茎を損傷させるおそれがある。かかる問題点を解決するための方法として、特許文献３（日本特開２００２−１９２０２３号公報）では、刷毛の一端を薬品処理してテーパー加工し、他端もさらに短時間薬品処理して毛先の鋭さをある程度緩和させた後、植毛する方法を提示している。
ところが、この方法では、生産効率が良くなく、且つ作業環境が劣悪な薬品処理工程を２回行わなければならないということが問題点として指摘されている。また、薬品処理工程は、ちょっとした作業環境の変化にもよく不良が発生するという問題点も持っている。このような理由で、上記方法は本格的に実用化されておらず、結論的に上述するように、図１に示す一端のみがテーパー加工され、他端はテーパー加工されていない毛を半折りにして植毛する方法も採用しているのである。
【０００４】
【特許文献１】実公昭６１−０１０４９５号公報
【特許文献２】韓国特許登録第０４６４６３４号
【特許文献３】特開２００２−１９２０２３号公報
【発明の開示】
【発明が解決しようとする課題】
【０００５】
そこで、本発明は、上述した従来の問題点を解決するためのもので、その目的は、一端がテーパー加工され、他端は研磨処理された針状毛を提供することにある。本発明の他の目的は、非針状部分を機械的な方法によって研磨処理することにより、生産効率を高め、不良率を減少させることにある。
【課題を解決するための手段】
【０００６】
上記目的を達成するために、本発明では、材質がポリエステル系樹脂で、テーパー加工されていない状態の厚度が０．１〜０．２ｍｍであり、一端のみがテーパー加工されており、テーパー長さが４〜８ｍｍで、テーパー加工された毛先の直径が０．０１〜０．０３ｍｍで、全長が２２〜３２ｍｍである、一端がテーパー加工された針状毛であって、テーパー加工された端部の反対側に位置する他端が機械加工によって研磨処理された針状毛を提供する。
また、本発明では、毛束を包んでいる包装材を第１端部から３０〜５０ｍｍの範囲で切断して除去した後、上記第１端部を回転型研磨機で研磨処理し、包装材の除去された毛束の第１端部をさらに包装材で包装した後、毛束を２２〜３２ｍｍの範囲で切断し、研磨処理された上記第１端部の反対側に位置する、切断された毛束の第２端部を薬品に浸漬してテーパー加工する工程によって針状毛を製造する。
【発明の効果】
【０００７】
本発明では、一端がテーパー加工され、且つ他端は研磨処理された針状毛を、不良発生を最少化しながら効果的に歯ブラシを製造することができる。本発明の方法によって得られた針状毛は、歯ブラシのヘッド部に左右の長さが異なるように偏差植毛されることにより、刷毛の入り込み力と洗浄力を同時に向上させることができる上、研磨処理された短毛によって刷掃の際に歯茎を損傷させることを防止することができる。
【発明を実施するための最良の形態】
【０００８】
以下、本発明を添付図面に基づいて詳細に説明する。
歯ブラシ用毛束は、多数本の毛が直径５０〜５５ｍｍの円筒状および１〜１．２Ｍの長さを有し、数万本の毛が紙材質又はプラスチック材質の包装材に包まれている。このような毛束を所望の長さに切断した後、１回又は２回の薬品処理工程を経て毛先をテーパー加工してから植毛することが従来の方法である。
すなわち、従来の１回の薬品処理工程を経る場合は、図１に示すように一端のみがテーパー加工された針状毛を製造する方法であり、２回の薬品処理工程を経る場合は、両端がテーパー加工された針状毛、又は一端がテーパー加工され、且つ他端は研磨処理された針状毛を製造する方法である。
１回の薬品処理工程を経る場合には、テーパー加工されていない端部があまり鋭いという問題点があることは上述した通りであり、２回の薬品処理工程を経る場合には、上述の問題点は一部解決されるが、切断された鋭い部分が薬品によって所望の水準に溶解されない上、工程が煩わしく、生産効率が低いということは上述したとおりである。
【０００９】
本発明では、図２に示すように切断の前に包装材を一部除去した後、毛の一端を研磨機で研磨処理し、さらに包装材で毛束を包んで所望の長さだけ切断する工程からなる。包装材を除去していない状態で研磨処理を行っても、毛が包装材によって集束していて円滑に研磨されない。除去される包装材の長さは３０〜５０ｍｍが適切である。この範囲未満の場合には研磨効率が足りなくなり、この範囲超過の場合には毛のたるみ現象で円滑な研磨作業が難しくなる。
上記範囲内で包装材が除去された毛束の毛は集束状態から解除され、図２に示すように散らされて刷毛の毛先部分と側面が自然に研磨されることにより、図３のように丸くなる。
【００１０】
研磨処理方式は、回転型研磨機に毛先を接触させる方式であり、一方向に正回転する研磨機も使用可能であり、一定の時間正回転してから逆回転することを繰り返す研磨機も使用可能である。
研磨工程が完了すると、包装材が除去された部分をさらに包装材で包んだ後、所望の長さだけ切断する。適切な切断長さは２２〜３２ｍｍである。除去された部分をさらに包装材で包む理由は、所望の長さに切断する際に毛を固定させて切断を容易にすると同時に、相次ぐ薬品処理工程のためである。これは、薬品処理工程では包装材で包まれた毛束が酸溶液又はアルカリ溶液に浸漬されなければ、適切にテーパー加工がなされないためである。
【００１１】
切断された毛束に対して薬品処理する工程は、通常の工程と同様であり、テーパー長さが４〜８ｍｍ、テーパー加工された毛先の直径が０．０１〜０．０３ｍｍとなるように薬品処理時間を調節する。テーパー長さ及び毛先の直径が上記範囲を外れる場合は、入り込み性又は洗浄力の低下をもたらす。
薬品処理工程済みの毛は、一端がテーパー状とされており、他端は研磨処理されている。このような毛を、図４に示すように折り曲げて歯ブラシ本体のヘッド部に植毛する。その植毛方法は、通常の方法と同様に、ワイヤーを用いて、毛を選び、歯ブラシ本体のヘッド部分に設けられている固定孔に押し込む方法である。
【００１２】
刷毛を折り曲げるとき、長毛と短毛の長さ差が約１〜４ｍｍとなるようにすることが好ましい。長毛は毛先がテーパー加工されており、短毛は毛先が研磨処理されている。このような偏差植毛によって刷毛の入り込み力と洗浄力を同時に向上させることができる。その理由は、短毛の妨害を受けない長毛のテーパー状の毛先は歯と歯の間又は歯と歯茎の間に円滑に入り込むことができ、入り込んだ長毛の妨害を受けない短毛は歯の表面を効果的に洗浄することができるためである。
【００１３】
本発明の他の態様では、毛束を２０〜３０ｍｍの長さに切断した後、束の包装材を除去し、機械的に少量ずつ研磨機で毛先部分を研磨した後、束の形でさらに捕集し、研磨された端部の反対側に位置する端部を薬品に浸漬してテーパー加工する。
また、本発明の別の態様では、毛束の包装材を後ろに後進させた後、端部を研磨し、後進した包装材を元の位置に戻した後、毛束を２０〜３０ｍｍの長さに切断し、研磨された端部の反対側に位置する端部を薬品に浸漬してテーパー加工する。
【図面の簡単な説明】
【００１４】
【図１】従来の一端がテーパー加工された針状毛の折り曲げられた状態を示す正面図である。
【図２】包装材切断後の研磨処理工程を示す図である。
【図３】研磨処理された後の毛先部分を示す正面図である。
【図４】テーパー加工及び研磨処理された針状毛の折り曲げられた状態を示す正面図である。
【図１】
2009520563.tif 000002
【図２】
2009520563.tif 000003
【図３】
2009520563.tif 000004
【図４】
2009520563.tif 000005
【国際調査報告】
2009520563.tif 000006
2009520563.tif 000007